(57)【要約】      （修正有）【課題】使用頻度の高い文字を大きく表示することにより、暗所、老眼であっても間違いが少なく必要な文字を入力することが可能となる。【解決手段】変更するダイアルキーパターンをシールにしてダイアルキーに貼り付ける。変更するダイアルキーパターンを記入してあるカバーをダイアルキー部分に装着する。変更するダイアルキーパターンを携帯電話の内蔵ユーティリティ機能により選択し、液晶、発光ダイオード等でキー部分に表示させる。【選択図】図２
0003138216.tif 000002
【実用新案登録請求の範囲】
【請求項１】
携帯電話のダイアルキーの文字（「数字」、「かな」、「英字」）の大きさを必要に応じて変更する器具及び手段。
【考案の詳細な説明】
【技術分野】
【０００１】
本考案は、携帯電話のダイアルキーの表示パターンに関するものである。
【背景技術】
【０００２】
従来の携帯電話のダイアルキーは電話番号を押して電話をかけることを目的として「数字」を大きくし、「かな」、「英字」は小さく配置されている。
【考案の開示】
【考案が解決しようとする課題】
【０００３】
しかしながら、携帯電話で電話をかける殆どの場合、電話番号を登録してある電話帳から通話先を選択して電話をかけ、電話番号を直接入力してかけることは殆どない。番号を押すのは新規に電話番号を登録するぐらいである。それに比べ、「かな」、「英字」はメール文章の作成等で頻繁に使用され、暗い場所での使用、或いは老眼の人はキーの場所を覚えていないかぎり、速やかに入力するのが困難である。
【課題を解決するための手段】
【０００４】
そこで、頻繁に使用する文字を大きく表示する手段を考案した(図１、図２、図３)。
【考案の効果】
【０００５】
本考案により携帯電話の使用者は、使用頻度の高い文字を大きく表示することにより、暗所、老眼であっても間違いが少なく必要な文字を入力することが可能となる。
【考案を実施するための最良の形態】
【０００６】
本考案に係るダイアルキーの使用方法は、携帯電話使用者の入力する文字種別の使用頻度により、図１、図２、図３のうちからそれぞれのパターンを選択して使用することによりダイアルキー入力を容易にすることが出来る。
【０００７】
実施方法は、変更するダイアルキーパターンをシールにしてダイアルキーに貼り付ける。変更するダイアルキーパターンを記入してあるカバーをダイアルキー部分に装着する。変更するダイアルキーパターンを携帯電話の内蔵ユーティリティ機能により選択し、液晶、発光ダイオード等でキー部分に表示させる。方法がある。
【０００８】
尚、最下段左側ダイアルキーと最下段右側ダイアルキーには「数字」、「かな」、「英字」が割り付けられることはなく、記号が割り付けられており、その記号も携帯電話の機種によって異なる。そのため、その部分は、そのまま使用し、シールの場合はその部分には貼り付けないか、又は透明シールにしておいても良い。カバーの場合も同じくその部分は解放しておくか、又は透明にしておいてもよい。
【実施例１】
【０００９】
図４は、変更するダイアルキーパターンをシールにしてダイアルキーに貼り付けるものである。
【００１０】
図５は、変更するダイアルキーパターンを記入してあるカバーをダイアルキー部分に装着するものである。
【００１１】
図６は変更するダイアルキーパターンを携帯電話の内蔵ユーティリティ機能により選択し、液晶、発光ダイオード等でキー部分に選択した大きさで文字を表示させるものである。
【図面の簡単な説明】
【００１２】
【図１】本考案を適用する前の通常に市販されている携帯電話の「数字」を大きくした場合のダイアルキー形状である。
【図２】本考案に係るダイアルキーに配置する文字の大きさで「かな」を大きくした場合のダイアルキー形状である。
【図３】本考案に係るダイアルキーに配置する文字の大きさで「英字」を大きくした場合のダイアルキー形状である。
【図４】本考案に係るダイアルキーパターンをシールにしたものである
【図５】本考案に係るダイアルキーパターンをカバーの方式にして携帯電話の部分に装着するものである。
【図６】本考案に係るダイアルキーパターンを携帯電話の内蔵ユーティリティ機能により選択し、液晶、発光ダイオード等でキー部分に選択した大きさで文字を表示させるものである。
【符号の説明】
【００１３】
１    最下段左側ダイアルキー
２    最下段右側ダイアルキー
３    最下段左側ダイアルキー
４    最下段右側ダイアルキー
５    最下段左側ダイアルキー
６    最下段右側ダイアルキー
【図１】
0003138216.tif 000003
【図２】
0003138216.tif 000004
【図３】
0003138216.tif 000005
【図４】
0003138216.tif 000006
【図５】
0003138216.tif 000007
【図６】
0003138216.tif 000008
【手続補正書】
【提出日】平成19年9月7日(2007.9.7)
【手続補正１】
【補正対象書類名】図面
【補正対象項目名】図４
【補正方法】変更
【補正の内容】
【図４】
0003138216.tif 000009
【手続補正書】
【提出日】平成19年10月24日(2007.10.24)
【手続補正１】
【補正対象書類名】実用新案登録請求の範囲
【補正対象項目名】全文
【補正方法】変更
【補正の内容】
【実用新案登録請求の範囲】
【請求項１】
携帯電話のダイアルキー上の「数字」、「かな」、「英字」からなる文字のうち「かな」を大きく表示したダイアルキーの形状を印刷したシール
【請求項２】
携帯電話のダイアルキー上の「数字」、「かな」、「英字」からなる文字のうち「かな」を大きく表示したダイアルキーの形状を印刷したダイアルキー部分のカバー式ボタン
【請求項３】
携帯電話のダイアルキー上の「数字」、「かな」、「英字」からなる文字のうち「英字」を大きく表示したダイアルキーの形状を印刷したシール
【請求項４】
携帯電話のダイアルキー上の「数字」、「かな」、「英字」からなる文字のうち「英字」を大きく表示したダイアルキーの形状を印刷したダイアルキー部分のカバー式ボタン
【手続補正２】
【補正対象書類名】明細書
【補正対象項目名】全文
【補正方法】変更
【補正の内容】
【考案の詳細な説明】
【技術分野】
【０００１】
本考案は、携帯電話のダイアルキーの表示パターンに関するものである。
【背景技術】
【０００２】
従来の携帯電話のダイアルキーは電話番号を押して電話をかけることを目的として「数字」を大きくし、「かな」、「英字」は小さく配置されている。
【考案の開示】
【考案が解決しようとする課題】
【０００３】
しかしながら、携帯電話で電話をかける殆どの場合、電話番号を登録してある電話帳から通話先を選択して電話をかけ、電話番号を直接入力してかけることは殆どない。番号を押すのは新規に電話番号を登録するぐらいである。それに比べ、「かな」、「英字」はメール文章の作成等で頻繁に使用され、暗い場所での使用、或いは老眼の人はキーの場所を覚えていないかぎり、速やかに入力するのが困難である。
【課題を解決するための手段】
【０００４】
そこで、頻繁に使用する文字を大きく表示する器具を考案した(図１、図２、図３)。
【考案の効果】
【０００５】
本考案により携帯電話の使用者は、使用頻度の高い文字を大きく表示する器具を使用することにより、暗所、老眼であっても間違いが少なく必要な文字を入力することが可能となる。
【考案を実施するための最良の形態】
【０００６】
本考案に係る器具の使用方法は、携帯電話使用者の入力する文字種別の使用頻度により、図１、図２、図３のうちからそれぞれのパターンを選択して使用することによりダイアルキー入力を容易にすることが出来る。
【０００７】
実施方法は、変更するダイアルキーパターンをシールにしてダイアルキーに貼り付ける。変更するダイアルキーパターンを記入してあるカバーをダイアルキー部分に装着する。
【０００８】
尚、最下段左側ダイアルキーと最下段右側ダイアルキーには「数字」、「かな」、「英字」が割り付けられることはなく、記号が割り付けられており、その記号も携帯電話の機種によって異なる。そのため、その部分は、そのまま使用し、シールの場合はその部分には貼り付けないか、又は透明シールにしておいても良い。カバーの場合も同じくその部分は解放しておくか、又は透明にしておいてもよい。
【実施例１】
【０００９】
図４は、変更するダイアルキーパターンをシールにしてダイアルキーに貼り付けるものである。
【００１０】
図５は、変更するダイアルキーパターンを記入してあるカバーをダイアルキー部分に装着するものである。
【図面の簡単な説明】
【００１１】
【図１】本考案を適用する前の通常に市販されている携帯電話の「数字」を大きくした場合のダイアルキー形状である。
【図２】本考案に係るダイアルキーに配置する文字の大きさで「かな」を大きくした場合のダイアルキー形状である。
【図３】本考案に係るダイアルキーに配置する文字の大きさで「英字」を大きくした場合のダイアルキー形状である。
【図４】本考案に係るダイアルキーパターンをシールにしたものである
【図５】本考案に係るダイアルキーパターンをカバーの方式にして携帯電話の部分に装着するものである。
【符号の説明】
【００１２】
１    最下段左側ダイアルキー
２    最下段右側ダイアルキー
３    最下段左側ダイアルキー
４    最下段右側ダイアルキー
５    最下段左側ダイアルキー
６    最下段右側ダイアルキー
【手続補正３】
【補正対象書類名】図面
【補正対象項目名】全図
【補正方法】変更
【補正の内容】
【図１】
0003138216.tif 000010
【図２】
0003138216.tif 000011
【図３】
0003138216.tif 000012
【図４】
0003138216.tif 000013
【図５】
0003138216.tif 000014